(57)【要約】      （修正有）【課題】鍼が撓まず、輻射熱が伝わりやすい、軽量で安価な灸頭鍼用キャップを提供する。【解決手段】灸頭鍼キャップは、鍼の頭部に被せて係止させる筒状部２と、該筒状部２の下端部より外周側に延在して艾を載せる受け部３（底部３ａ及び外筒部３ｂ）とから構成される。ここにおいて、前記筒状部２及び受け部３を一連の金属線（ステンレス線）でコイルバネ状に形成する。このことにより軽量化され、安価で使い捨てが可能になる。更に空気接触面が多く燃焼しやすくなる。【選択図】図１
2008048768.tif 000002
【特許請求の範囲】
【請求項１】
鍼の頭部に被せて係止させる筒状部と、該筒状部の下端部より外周側に延在して艾を載せる受け部とから構成される灸頭鍼用キャップであって、
前記筒状部及び受け部を一連の金属線でコイルバネ状に形成したことを特徴とする灸頭鍼用キャップ。
【請求項２】
前記筒状部の上端部にて金属線の端部を前記筒状部の径方向に横断させて鍼の頭部に係止させる係止部を形成したことを特徴とする請求項１記載の灸頭鍼用キャップ。
【請求項３】
前記受け部は、前記筒状部の下端部より外周側に延在する底部と、該底部の最外周側より上側に延在して前記筒状部に対し２重をなす外筒部とで構成されることを特徴とする請求項１又は請求項２記載の灸頭鍼用キャップ。
【請求項４】
前記受け部は、前記筒状部の下端部より外周側に延在する底部のみで構成されることを特徴とする請求項１又は請求項２記載の灸頭鍼用キャップ。
【請求項５】
前記底部は、テーパ状をなしていることを特徴とする請求項３又は請求項４記載の灸頭鍼用キャップ。
【発明の詳細な説明】
【技術分野】
【０００１】
本発明は、灸頭鍼用キャップに関する。
【背景技術】
【０００２】
灸頭鍼は、経穴（つぼ）等への鍼の刺入と、艾（もぐさ）の着火燃焼による温熱との相乗的刺激作用で治療するものであり、灸頭鍼用キャップは、鍼の頭部に被せて係止させる筒状部と、該筒状部の下端部より外周側に延在して艾を載せる受け部とから構成されている。
従来の灸頭鍼用キャップは、筒状部をステンレス板でパイプ状に形成しており、受け部はステンレス板で形成したり、特許文献１のように金属メッシュで形成している。
【特許文献１】特開平１１−１５５９２６号公報
【発明の開示】
【発明が解決しようとする課題】
【０００３】
しかしながら、従来の灸頭鍼用キャップは、いずれも重く、鍼が撓んでしまうことがある。また、ステンレス板のものは輻射熱が伝わり難いという欠点もある。更に、再度使用する際に、艾の燃え残りや、燃えかすを洗浄する必要があり、非常に手間とコストがかかってしまう。
本発明は、このような実状に鑑み、軽量で、安価な（従って使い捨て可能な）灸頭鍼用キャップを提供することを目的とする。
【課題を解決するための手段】
【０００４】
このため、本発明では、灸頭鍼用キャップの筒状部及び受け部を一連の金属線でコイルバネ状に形成する構成とする。
また、筒状部の上端部にて金属線の端部を筒状部の径方向に横断させて鍼の頭部に係止させる係止部を形成するとよい。
受け部は、筒状部の下端部より外周側に延在する底部と、該底部の最外周側より上側に延在して筒状部に対し２重をなす外筒部とで構成するとよいが、底部のみで構成することもできる。
【発明の効果】
【０００５】
本発明によれば、金属線でコイルバネ状に形成することにより、従来製品よりも軽くなり、鍼を撓めることがない。また、金属線のみで生産可能なため、量産しやくすく、安価に作ることができる。よって、使い捨てキャップとして使用できる。更に、空気に触れる面が多く、燃焼しやすいなどといった利点もある。
【発明を実施するための最良の形態】
【０００６】
以下に本発明の実施の形態を図面に基づいて説明する。
先ず本発明の第１実施形態を図１〜図３に基づいて説明する。図１は灸頭鍼用キャップの外観図、図２は艾装着状態での断面図、図３は艾装着状態での平面図である。
本発明に係る灸頭鍼用キャップは、鍼１の頭部（針柄）１ａに被せて係止させる筒状部２と、該筒状部２の下端部より外周側に延在して艾Ｍを載せる受け部３とから構成される。更に、受け部３は、筒状部２の下端部より外周側に延在する底部３ａと、該底部３ａの最外周側より上方に延在して筒状部１に対し２重をなす外筒部３ｂとから構成される。
【０００７】
ここにおいて、本発明に係る灸頭鍼用キャップは、前記筒状部２と前記受け部３（底部３ａ及び外筒部３ｂ）とを一連（１本）のステンレス線でコイルバネ状に形成してある。尚、底部３ａは、外側に向かって斜め下方に傾斜するテーパ状（円錐面状）に形成してある。
また、筒状部２の上端部にてステンレス線の端部（巻始め側又は巻終わり側の端部）を筒状部２の径方向（直径方向）に横断させて鍼１の頭部１ａに係止させる係止部（抜け止め用の蓋部）２ａを形成している。
【０００８】
本発明に係る灸頭鍼用キャップは、皮膚上の経穴等に刺し入れた鍼（針体）１の頭部（針柄）１ａ対し、筒状部２を被せ、その係止部２ａを係止させる。そして、筒状部２の周りの受け部３（外筒部３ｂ内）に、予め円筒形に加工した灸頭鍼用の艾Ｍを載せて、火をつける。こうして、鍼１の刺入刺激と、艾Ｍの着火燃焼による温熱効果（輻射熱、伝導熱）との相乗的刺激作用で治療する。
【０００９】
本発明に係る灸頭鍼用キャップは、ステンレス線のみで形成されるため、従来製品よりも軽く、鍼を撓めることがない。また、ステンレス線のみでコイルバネ状に形成すればよいため、量産しやすく、安価に作ることができる。よって、使い捨てキャップとして、使用できる。また、空気に触れる面が多く、燃焼しやすい。また、鍼を伝わっていく伝導熱の他、輻射熱も多くなり、温熱効果が高まる。
【００１０】
次に本発明の第２実施形態について説明する。
図４は本発明の第２実施形態を示す灸頭鍼用キャップの外観図、図５は断面図である。平面図については、図３と同じである。
第２実施形態では、受け部３が底部３ａと外筒部３ｂとから構成される点は同じであるが、底部３ａは外側に向かって斜め上方に傾斜するテーパ状（円錐面状）に形成してある。このようにしても同様の効果が得られる。もちろん、底部３ａを平面状に形成してもよい。
【００１１】
次に本発明の第３実施形態について説明する。
図６は本発明の第３実施形態を示す灸頭鍼用キャップの外観図、図７は断面図である。平面図については、図３と略同じである。
第３実施形態では、受け部３が底部３ａのみから構成されている。言い換えれば、外筒部３ｂをなくしてある。このようなものでも略同様の効果が得られる。尚、底部３ａは外側に向かって斜め下方に傾斜するテーパ状（円錐面状）に形成しているが、第２実施形態のように斜め上方に傾斜するテーパ状に形成してもよいし、平面状に形成してもよい。
【００１２】
尚、以上の実施形態では、灸頭鍼用キャップを形成する金属線として、ステンレス線を用いたが、使い捨てにすることを考慮すれば、錆を気にすることはないので、硬鋼線、ピアノ線のようなものを用いてもよい。
【図面の簡単な説明】
【００１３】
【図１】本発明の第１実施形態を示す灸頭鍼用キャップの外観図
【図２】第１実施形態の灸頭鍼用キャップの艾装着状態での断面図
【図３】第１実施形態の灸頭鍼用キャップの艾装着状態での平面図
【図４】本発明の第２実施形態を示す灸頭鍼用キャップの外観図
【図５】第２実施形態の灸頭鍼用キャップの艾装着状態での断面図
【図６】本発明の第３実施形態を示す灸頭鍼キャップの外観図
【図７】第３実施形態の灸頭鍼用キャップの艾装着状態での断面図
【符号の説明】
【００１４】
１  鍼
１ａ  鍼の頭部（針柄）
２  筒状部
２ａ  係止部
３  受け部
３ａ  底部
３ｂ  外筒部
Ｍ  艾
【図１】
2008048768.tif 000003
【図２】
2008048768.tif 000004
【図３】
2008048768.tif 000005
【図４】
2008048768.tif 000006
【図５】
2008048768.tif 000007
【図６】
2008048768.tif 000008
【図７】
2008048768.tif 000009